【手続補正書】
【提出日】平成18年12月20日(2006.12.20)
【手続補正１】
【補正対象書類名】明細書
【補正対象項目名】特許請求の範囲
【補正方法】変更
【補正の内容】
【特許請求の範囲】
【請求項１】  可動なメディアと、
プラットフォームと、
前記プラットフォームに接続されて、前記メディアの表面に変位を書き込み及び変位を読み込みするような形態とした少なくとも１つのファインティップ部分と、
を備えたメディアな読み書き機構と
前記可動なメディアに取り付けられて、メディア制御信号に応答して前記メディアを移動させるような形態としたメディア移動機構と、
を有し、
前記変位は、原子或いは分子の荷電及び前記メディア上の結晶格子構造のうちの少なくとも１つであることを特徴とする記憶装置。
【請求項２】    データが読み込まれる或いは書き込まれるものである前記メディア表面の領域に相当するアドレスを識別するためのアドレスポートと、
前記少なくも１つのファインティップ部分を経由して読み込まれるべき及び書き込まれるべきデータの１つを前記メディア表面に転送するための入出力ポートと、
制御信号を前記メディア及びプラットフォーム移動機構の各々に送り、前記少なくも１つのファインティップ部分が、前記アドレスポートで識別されるアドレスに相当する前記メディア表面上の領域を通過するような形態としたアドレス制御装置と
を備えた入出力装置
をさらに有する、請求項１に記載の記憶装置。
【請求項３】  前記メディア移動機構が、
加えられる静電位に基づいて、前記メディアを移動させるように構成した静電気装置と、
前記アドレス制御装置に接続され、且つ静電位を前記静電気装置に加えて、前記アドレス制御装置によって送信された制御信号によって前記メディアを移動させるような形態とした前記静電気制御及び供給装置と、
を有する、請求項１に記載の記憶装置。
【請求項４】  前記静電気装置は、一連のプロングの組を有し、
前記プロングの組は、直列に取り付けられ、第1の前記プロングの組は、第1端において前記装置の固定位置に取り付けられ、前記第１の前記プロングの組の第２端は、第2の前記プロングの組の第1端に連結され、これを繰り返して最後の前記プロングの組が、第1端においてその前のプロングの組の第2端に取り付けられ、且つ前記最後の前記プロングの組の第2端が、前記メディアに取り付けられ、
各プロングの組は、少なくとも２つの一連のプロングを有し、組内の各プロングは、同じ組の別のプロングからギャップを隔てて分離されて、各プロングは、少なくとも１つのコンダクターから構成され、且つ前記静電供給源に接続され、前記静電供給によって反対の静電力が同じ組内の前記プロングに交互に加えられ、
前記反対の静電気力が前記プロングの組のどれかに加えられるとき、前記静電気的に荷電したプロングの組における前記ギャップは、前記反対の静電気力の大きさに基づく量に亘ってつぶれて、前記一連のプロングの組をして前記メディアをつぶし、且つ移動させる、
請求項３に記載の装置。
【請求項５】  前記静電制御及び供給装置は、前記静電気装置に加えるべき静電位の大きさを計算するような形態としている、請求項４に記載の記憶装置。
【請求項６】  前記静電気装置は、
Ｘ方向に突出するフィンガーを有する固定コームと、
Ｘ方向に突出し、且つ前記固定コームの前記フィンガーの間でインターリーブされるフィンガーを有する移動コームと、
前記移動コームに取り付けられたバーであって、該バーはY方向に剛で、X方向に可撓性であり、X方向への前記移動コームの動作を可能にするが、前記固定及び移動フィンガーのY方向への分離を維持する、前記バーと、
前記移動コーム及び前記メディア及び前記プラットフォームのうちの１つに取り付けられたカップリングロッドと、
電気経路を前記固定及び移動コームとの間に配置できるように、前記固定コームに連結された電気経路及び前記移動コームに連結された電気経路と
を有する、請求項４に記載の記憶装置。
【請求項７】  前記固定コームと前記移動コームの前記フィンガーは、切り欠かかれて、前記固定コームの前記フィンガーと前記移動コームの前記フィンガーとの間の対向表面の表面領域を増大する、
請求項６に記載の記憶装置。
【請求項８】  前記固定コームの前記フィンガーと前記移動コームの前記フィンガーとの間の前記切り欠きは、互い違いである、請求項７に記載の装置。
【請求項９】  前記メディア移動機構及び前記プラットフォーム移動機構のうちの少なくとも1つは、
固定フィンガーを有する固定コームと、
前記固定フィンガーとの間でインタリーブされた移動フィンガーを有する移動コームと、
前記固定及び前記移動コームの各々に接続され、且つ前記固定コームと前記移動コームとの間に静電力を加えるような形態としたインプットと、
を有する、請求項４に記載の装置。
【請求項１０】  前記固定コーム及び前記移動コームの前記フィンガーの各々は、切り欠きを有し、
前記固定フィンガー上の切り欠きの位置は、前記移動フィンガー上の前記切り欠きの位置とずれている、請求項９に記載の装置。
【請求項１１】  前記静電気装置は、
前絶縁体の間の少なくとも2層の導電材料と、
前記静電気装置から前記導電材料へ電位を接続する電気経路と
を備えたバネアクチュエータ組立て体
を有し、
前記バネアクチュエータは、静電力が前記導電層へ加えられるとき、X方向に移動し、さらに前記バネアクチュエータは、前記メディア及び前記プラットフォームのうちの少なくとも１つが、前記静電力に基づいて、前記X及びＹ方向に自由に移動するように、前記第1方向に対して直角方向になる、請求項４に記載の装置。
【請求項１２】  前記アクチュエータアセンブリが、層間に絶縁体を有する伝導性パターンを付けた薄いフィルムの多層フィルムを有する、請求項９記載の装置。
【請求項１３】  可動なメディアと、
プラットフォームと、
前記プラットフォームに接続されて、前記メディアの表面に情報を書き込み及び情報を読み込みするような形態とした少なくとも１つのファインティップ部分と、
を備えたメディアな読み書き機構と
前記可動なメディアに取り付けられて、メディア制御信号に応答して前記メディアを移動させるような形態としたメディア移動機構と、
前記メディアの移動量を検出するよう構成された容量センサと、
を有する記憶装置であって、
前記容量センサは、
Ｘ軸方向に突出するフィンガーを有する固定コームと、
前記メディアに連結され、Ｘ軸方向に突出するフィンガーを有し、このフィンガーが前記固定コームのフィンガーの間に挟み込まれた移動コームと、
前記固定コームに接続された電気径路と、前記移動コームに接続された電気径路と、前記固定コームと前記移動コームとの間の容量を測定するように構成された容量測定デバイスと、
を有することを特徴とする、前記記憶装置。
【請求項１４】  可動なメディアと、
プラットフォームと、
前記プラットフォームに接続されて、前記メディアの表面に情報を書き込み及び情報を読み込みするような形態とした少なくとも１つのファインティップ部分と、
を備えたメディアな読み書き機構と
前記可動なメディアに取り付けられて、メディア制御信号に応答して前記メディアを移動させるような形態としたメディア移動機構と、
前記メディアの移動量を検出するよう構成された容量センサと、
フィンガーを有する固定コーム及び前記メディアに作動可能に接続されたフィンガーを有する移動コームであって、該固定コームのフィンガーが該移動コームのフィンガーの間に挟み込まれた、前記固定コーム及び移動コームと、
前記コームアレイの有する容量の測定ができるようになった容量出力部と、
を有する容量コームアレイと、
を有することを特徴とする、記憶装置。
【請求項１５】  前記少なくとも１つのファインチップ部分が前記トラックマーク及びセクタマークを横切って移動し、前記少なくとも１つのファインチップ部分による前記トラックマーク及びセクタマークの検出に基づいて前記メディア移動機構を較正するように、前記メディア及び前記プラットホームを移動するように構成されたアライメントデバイスを更に有する、請求項１４記載の装置。
【請求項１６】  各ファインチップ部分が、各ファインチップ部分に取付けられたカンチレバーと、
各カンチレバーに連結された作動／ピックアップデバイスと、
を有する、請求項１記載の装置。
【請求項１７】  前記ファインチップ部分に作動可能に接続されたｚ軸機構を更に有し、
前記ｚ軸機構が、前記ファインチップ部分の少なくとも１つを前記メディア表面上、又は表面近傍の少なくとも一方に配置するように構成されている、請求項１記載の装置。
【請求項１８】  前記ｚ軸駆動機構が、
カンチレバーであって、前記ファインチップ部分と、少なくともｚ軸方向に前記カンチレバー及び前記ファインチップ部分の移動を許容する前記プラットホームとの間に接続された、前記カンチレバーと、
前記プラットフォーム及び前記カンチレバーと連結し、前記プラットフォーム及び前記カンチレバー間で静電気力を作用させるように構成された静電気ソースと、
を有し、
前記静電気ソースによって印加される静電気力が、前記カンチレバー及び前記ファインチップ部分の少なくともｚ軸方向への移動を引き起こす、請求項１７記載の装置。
【請求項１９】  上記ｚ軸駆動機構は、
一端が上記細いチップ部に接続されたレバーと、
ヒータ及び膨張係数の異なる少なくとも２つの材料を備えた熱バイモルフと、
を有し、
上記ヒータに印加された電流がバイモルフの温度まで上昇し、それにより、バイモルフが、膨張し、又は、収縮し、さらに、上記レバー及び細いチップ部をｚ軸方向に移動させる、請求項１７記載の装置。
【請求項２０】  上記ヒータは、ポリシリコンレジスタである、請求項１９記載の装置。